(57)【特許請求の範囲】
【請求項１】
パチンコ機の遊技制御を行なう制御部と、
該制御部を内蔵した後、封印を受ける筐体と、
パチンコ機の遊技盤に設けられた入賞口に遊技球が入ったことを検出する入賞センサと、
該入賞センサの検出結果を前記制御部に伝送するための伝送部と、
を備えたパチンコ機制御装置において、
前記伝送部が光ケーブルであって、
前記入賞センサが、前記入賞口へ遊技球が入ったことを示す信号を光強度の変化として出力するものであって、
前記制御部が、
前記光ケーブルを介して入力される光強度を監視する光強度監視手段と、
該光強度監視手段の検出結果に基づいて不正行為の発生を検出する不正行為検出手段と、
を備え、
前記入賞センサが、
光の入射端子と出射端子を備え、前記入射端子から入射された光の強度を外部からの指令に応じて変化させて、前記出射端子から出射する光スイッチと、
前記入賞口へ遊技球が入ったことを検出する入賞検出部と、
該入賞検出部により前記入賞口へ遊技球が入ったことが検出されると前記光スイッチの前記出射端子から出射される光の強度を変化させるスイッチ制御部と、
を備えたものであることを特徴とするパチンコ機制御装置。
【請求項２】
請求項１に記載のパチンコ機制御装置において、
当該パチンコ機が、
遊技域に設けられ、複数の図柄を配列させて表示可能な表示手段と、
遊技域に設けられ、遊技球が入ると前記表示手段の図柄が予め定められた時間だけ変動される始動口と、
を備え、図柄の前記変動が終了した際に表示された図柄の配列が予め定められた特定の配列だった場合に大当たりが発生するものであり、
前記入賞センサが、前記始動口へ遊技球が入ったことを検出するものである
ことを特徴とするパチンコ機制御装置。
【請求項３】
請求項１または２に記載のパチンコ機制御装置において、
前記光ケーブルが、
前記筐体内に配置された光源の光を前記入賞センサに供給する供給ケーブルと、
前記入賞センサにて出力された前記光強度の変化を前記制御部に送信する送信ケーブルと、
を備えたことを特徴とするパチンコ機制御装置。
【請求項４】
請求項１〜３のいずれかに記載のパチンコ機制御装置において、
少なくとも、前記光スイッチおよび前記スイッチ制御部が樹脂モールドされていることを特徴とするパチンコ機制御装置。
【請求項５】
請求項１〜４のいずれか記載のパチンコ機制御装置において、
前記光ケーブルと前記制御部とが、前記筐体内で接続されている
ことを特徴とするパチンコ機制御装置。
【発明の詳細な説明】
【０００１】
【発明の属する技術分野】
本発明は、パチンコ機の遊技制御を行なうパチンコ機制御装置に関する。
【０００２】
【従来の技術】
従来より、パチンコ機の遊技を制御するためのＲＯＭなどの制御装置が配置された回路基板は、パチンコ機用基板ケース内に収納されている。そして、このパチンコ機用基板ケース（以下、単に基板ケースともいう）は、正規のＲＯＭを審査を受けていないＲＯＭに変更するなどの不正行為を受けないように、封印が為されている。
【０００３】
ここで封印とは、外界と完全に隔離するという意味ではなく、不正行為を防止するために、基板ケースの蓋が簡単に開けられないようにする、或はこれと同等の構成が採られている、という意味である。パチンコ機の遊技制御を行なうには、基板ケースに内蔵される回路基板に電力を供給したり制御結果を出力したりする必要があるので、回路基板を外界から完全に隔離することはできない。また、パチンコ機は通常、遊技球が始動口に入ったタイミングによって大当たりを発生させるか否かを決めている。従って、入賞信号（遊技盤に設けられた入賞口に遊技球が入ったことを示す信号）を回路基板に入力するのは欠かせない。
【０００４】
【発明が解決しようとする課題】
基板、入賞センサ、入賞センサと基板とを接続する配線等に、ぶら下がり基板と呼ばれるものが取り付けられることがある。ぶら下がり基板とは、容易に大当たりを得られるようにする不正の回路基板である。
【０００５】
ぶら下がり基板は、そのパチンコ機において大当たりが発生する入賞タイミングを探りあて、偽の入賞信号を発する。これにより基板ケース内の制御回路は、大当たりのタイミングで始動入賞が発生した、と誤認識をし、大当たりを発生させてしまう。
【０００６】
また、始動入賞検知用以外のセンサ入力を用いて、同様の不正を行なうことも考えられる。例えば、始動口ではない入賞口の入球検出を行なうセンサに、入賞の擬似再現をする回路基板を設け、偽の入賞信号を頻発させる。こうすると、前述のぶら下がり基板のように短時間で大当たりを得ることは困難だが、賞球をコンスタントに得ることにより、持ち玉を減らすことなく（あるいは徐々に増やして）大当たりを狙う、という不正遊技が可能となってしまう。しかもこの場合、大当たりのタイミングを探り当てる必要がないため、回路基板の構成や制御が単純になり、容易に実現できるという厄介さがある。
【０００７】
本発明は、係る課題に鑑みなされたもので、請求項１に記載のパチンコ機制御装置は、ぶら下がり基板などを接続する不正を防止することを目的とする。
請求項２に記載の本発明は、不正を防止する上で一層好適な態様を提案するものである。
【０００８】
また請求項３に記載の本発明は、同様の不正を一層困難にすることを目的とする。
【０００９】
請求項４に記載の本発明は、不正な操作を受けたり破壊されたりするのを防止することを目的とする。
【００１０】
請求項５に記載の本発明は、請求項１から４に記載の遊技機制御装置において、不正を一層困難にすることを目的とする。
【００１１】
【課題を解決するための手段】
係る課題を解決するために為された請求項１に記載の本発明は、パチンコ機の遊技制御を行なう制御部と、
該制御部を内蔵した後、封印を受ける筐体と、
パチンコ機の遊技盤に設けられた入賞口に遊技球が入ったことを検出する入賞センサと、
該入賞センサの検出結果を前記制御部に伝送するための伝送部と、
を備えたパチンコ機制御装置において、
前記伝送部が光ケーブルであって、前記入賞センサが、前記入賞口へ遊技球が入ったことを示す信号を光強度の変化として出力するものであって、
前記制御部が、
前記光ケーブルを介して入力される光強度を監視する光強度監視手段と、
該光強度監視手段の検出結果に基づいて不正行為の発生を検出する不正行為検出手段と、を備え、
前記入賞センサが、
光の入射端子と出射端子を備え、前記入射端子から入射された光の強度を外部からの指令に応じて変化させて、前記出射端子から出射する光スイッチと、
前記入賞口へ遊技球が入ったことを検出する入賞検出部と、
該入賞検出部により前記入賞口へ遊技球が入ったことが検出されると前記光スイッチの前記出射端子から出射される光の強度を変化させるスイッチ制御部と、
を備えたものであることを特徴とする。
【００１２】
請求項２に記載の本発明は、請求項１に記載のパチンコ機制御装置において、
当該パチンコ機が、
遊技域に設けられ、複数の図柄を配列させて表示可能な表示手段と、
遊技域に設けられ、遊技球が入ると前記表示手段の図柄が予め定められた時間だけ変動される始動口と、
を備え、図柄の前記変動が終了した際に表示された図柄の配列が予め定められた特定の配列だった場合に大当たりが発生するものであり、
前記入賞センサが、前記始動口へ遊技球が入ったことを検出するものであることを特徴とする。
【００１３】
請求項３に記載の本発明は、請求項１または２に記載のパチンコ機制御装置において、前記光ケーブルが、
前記筐体内に配置された光源の光を前記入賞センサに供給する供給ケーブルと、
前記入賞センサにて出力された前記光強度の変化を前記制御部に送信する送信ケーブルと、を備えたことを特徴とする。
【００１６】
請求項４に記載の本発明は、請求項１〜３のいずれかに記載のパチンコ機制御装置において、少なくとも、前記光スイッチおよび前記スイッチ制御部が樹脂モールドされていることを特徴とする。
請求項５に記載の本発明は、請求項１〜４のいずれかに記載のパチンコ機制御装置において、前記光ケーブルと前記制御部とが、前記筐体内で接続されていることを特徴とする。
【００１７】
【発明の実施の形態】
請求項１に記載のパチンコ機制御装置は、入賞センサからの入賞信号を光強度の変化として、光ファイバを介して制御部に送信するようにされている。
そして、この光強度を光強度監視手段が監視し、この監視結果に基づいて不正行為検出手段が不正行為の発生を検出する。なお、この監視は定期的に行なっても良いし、入賞センサからの入賞信号が発生したときのみ行なっても良い。
【００１８】
こうすると、入賞信号を従来のように電気信号にして送信していた場合に比べ、ぶら下がり基板を挿入するのが困難となる。すなわち、光ファイバにぶら下がり基板を挿入するには、まずこのぶら下がり基板を、電気信号ではなく、入賞信号に一致する光強度の変化を発生させるものとして構成する必要があり、これは非常に困難である。
【００１９】
また、光強度は光強度監視手段によって、定期的に監視されているため、ぶら下がり基板を挿入したことにより光強度が変化すると、不正行為検出手段によって検出される。従って、請求項１のパチンコ機制御装置によれば、ぶら下がり基板などが接続されるのを防止することができる。
また、請求項１に記載のパチンコ機制御装置は、入賞センサを、光スイッチと、入賞検出部と、スイッチ制御部とを備えたものとし、入賞検出部により入賞口へ遊技球が入ったことが検出されると光スイッチの出射端子から出射される光の強度を変化させるようにしている。
こうすると、入賞口に遊技球が入ったときに出射される光の強度をスイッチ制御部によって、様々に変化させることができる。例えば、入賞口に遊技球が入ったときには光の強度を５０％程度に弱めたり、常時光の強度を一定の周波数で変動させておいて、入賞口に遊技球が入ったときには周波数を変更するといったことも可能になる。後者のようにすると、ノイズに殆ど影響されることなく入賞を検出することができる。
【００２０】
請求項２に記載のパチンコ機制御装置では、入賞センサを、遊技域に設けられた始動口に遊技球が入ったことを検出するものとしている。始動口に遊技球が入ると、遊技域に設けられた表示手段の図柄が予め定められた時間だけ変動される。この図柄の変動が終了した際に表示された図柄の配列が予め定められた特定の配列だった場合に大当たりが発生する。つまり、大当たりを発生させるために入賞させることが必要な始動口への入賞を、防止するものとなっている。
【００２１】
従って、請求項２に記載のパチンコ機制御装置によれば、大当たりを発生させることを目的とした不正の防止に非常に効果的である。
また請求項３に記載のパチンコ機制御装置では、光ケーブルを、筐体内に配置された光源の光を前記入賞センサに供給する供給ケーブルと、入賞センサにて出力された光強度の変化を制御部に送信する送信ケーブルとを備えたものとしている。
【００２２】
つまり、入賞信号の検出を、制御部から入賞センサに至り、制御部に戻る閉ループとして構成された光回路を流れる光の強度に基づいて行なうようにされている。こうすると、ぶら下がり基板は、筐体内の光源の光と同じ強度の光を発するものとしなければならない。また、挿入させるには、この閉ループのいずれかの箇所を断線させない限り困難である。
【００２３】
従って、請求項３のパチンコ機制御装置によれば、ぶら下がり基板を接続するのを一層困難にすることができる。
【００２６】
請求項４に記載の本発明は、少なくとも、光スイッチおよびスイッチ制御部が樹脂モールドされている。
こうすると、光スイッチやスイッチ制御部に対して不正な操作が行なわれたり、これらが破壊されたりするのを防止することもできる。
【００２７】
なお、光ケーブルと制御部を接続するには、周知の光コネクタを使用するとよい。但し、こうすると、光コネクタの部分にぶら下がり基板が介装される虞がある。
請求項５に記載の本発明は、光ケーブルと制御部とが、筐体内で接続されている。この筐体は、封印した状態で使用されるため、封印を解かない限り、光コネクタを外すことができなくなる。
【００２８】
従って、請求項５に記載のパチンコ機制御装置によれば、不正行為を一層困難にすることができる。
【００２９】
【実施例】
以下、本発明の実施の形態を一層明確にするため、本発明の好適な実施例を図面と共に説明する。
まず、図１（ａ）は、パチンコ機の裏側に設置されるパチンコ機用基板ケース１と、この基板ケース１の周辺を示した説明図である。基板ケース１は本発明の筐体に相当する物で、これには本図に示す様に始動入賞センサ３、通常入賞センサ５ａ、５ｂ、大入賞口センサ７が、夫々２芯式の光ケーブル９にて接続されている。実際には基板ケース１にはこれら以外にも各種センサの検出信号が入力されるが、本図では簡略化してこれらの内の４つのみを示している。なお、符号１１で示されているのは、各センサに電力を供給するためのリード線、符号１３で示されているのは光コネクタ、符号１５で示されているのは基板ケース１に電力の供給をするライン、符号１７で示されているのは基板ケース１からデータや信号を出力をする出力線である。なお、リード１１は、始動入賞センサ３や通常入賞センサ５ａ、５ｂ等に電力を供給するものである。
【００３０】
図１（ｂ）は、図１（ａ）のＡ−Ａ断面を１つの光コネクタ１３周辺について示したものである。光コネクタ１３は、これと対になる光ソケット１９に差し込まれており、基板ケース１の蓋２１に形成された光ソケット１９よりも小さな孔から光コネクタ１３を出している。光コネクタ１３を光ソケット１９から抜く際に押すリリース孔２３は、蓋２１内に設けられ、蓋２１を開けない限り光コネクタ１３を光ソケット１９から抜くことができないようにされている。なお、符号２５は光ソケット１９が設けられている基板である。
【００３１】
始動入賞センサ３内の概要を図２に示す。なお、図示しないその他の入賞センサ５ａ、５ｂ、７も同様に構成され、図３以降に説明する処理も同様に行なわれている。本図に示す様に始動入賞センサ３には、光ファイバを通る光の強度を減衰させる光スイッチ２７、この光スイッチ２７をＯＮ／ＯＦＦ制御するスイッチ制御部２９、遊技球を直接検出する磁気センサ３１が設けられ、これらが樹脂モールドされている。なお、光スイッチ２７は遊技球が検出されていない状態では、光を減衰させることなく通過させるようにされている。
【００３２】
光ケーブル９は、光ケーブル９ａ、光スイッチ２７、光ケーブル９ｂとでループ状に構成されている。ここで、光ケーブル９ａは本発明の供給ケーブルに相当し、光ケーブル９ｂは送信ケーブルに相当する。光ソケット１９には光送信器３３と、光受信器３５とが接続されている。光送信器３３は入力された電気信号に応じて一定強度の光の送信あるいはその停止を行なうもので、光受信器３５は、受信した光の強度を電気信号に変換すると共に、強度の変化波形を整形するものである。なお、符号３７は、リード１１を介してスイッチ制御部２９に電力を供給するコネクタである。
【００３３】
図２において光送信器３３、光受信器３５の右側に位置する入賞検出回路３８の概略を図３に示す。入賞検出回路３８は、光送信器３３（本発明の光源に相当）と、光受信器３５と、光受信器３５の出力した光強度を２５６段階に離散化するＡ／Ｄ変換器３９と、光受信器３５が出力した波形およびＡ／Ｄ変換器３９の出力値を受け取る入力ポート４１と、ＣＰＵ、ＲＯＭ、ＲＡＭなどが内蔵されたハイブリッドＩＣ４３（本発明の制御部に相当）と、ハイブリッドＩＣ４３にて処理されたデータなどを不揮発的に記憶するＥＥＰＲＯＭ４５と、ＣＰＵから指示されたデータなどを外部へ出力する出力ポート４７とを備えている。なお、入力ポート４１、ＥＥＰＲＯＭ４５、および出力ポート４７は、ハイブリッドＩＣ４３にバス４９にて接続されている。入力ポート４１へ光受信器３５から送られて来る信号は、磁気センサ３１にて遊技球が検出されたことに応じてスイッチ制御部２９が行なった光強度の変調の結果が波形処理されて電気信号として送られて来る。一方、Ａ／Ｄ変換器３９から入力ポート４１に送られて来る信号は光受信器３５が受信した光の強度に関するデータであり、これは、光送信器３３から送信され、光受信器３５に戻って来た光の強度の度合のみを表す定常的（磁気センサ３１にて遊技球が検出されたか否かの影響を受けない）な電気信号が送られて来る。また出力ポート４７から光送信器３３へ送られるデータは、光の送信・停止の指示を行なうＯＮ／ＯＦＦ信号である。
【００３４】
ハイブリッドＩＣ４３内のＣＰＵによって実行される光強度管理処理の概略のフローチャートを図４に示す。本処理を実現するプログラムはハイブリッドＩＣ４３内のＲＯＭに格納されており、一定時間ごと（例えば、１０ｍｓｅｃ）に起動される。本処理が起動されるとまず、ステップ（以下、Ｓと略す）１００にて光送信器３３がＯＮ（つまり光が送信されている）か否かを判定する。ＯＮでなければ、何も行なわず本処理を終了する。光送信器３３がＯＮであれば、Ｓ１１０に進み、現在の光強度のデータをＡ／Ｄ変換器３９から読み込む。続くＳ１２０にてその光強度が安定しているか否かを判定する。なお、光送信器３３が一定強度の光を送信するにも拘わらず光強度が安定しない状態は、光送信器がＯＮされた直後などに発生する。この例を図５（ａ）に示す。図５（ａ）はＡ／Ｄ変換器３９から入力ポート４１に入力された光強度を縦軸、時間の経過を横軸にとったグラフである。このグラフのｔ＜ｔ1 は、強度が安定していない状態、ｔ＞ｔ1 は安定した状態を示している。
【００３５】
図４に戻る。光強度が安定していないのは望ましくないので、このような場合は本処理を終了する。安定している場合はＳ１３０に進み、前回の本処理により、ＥＥＰＲＯＭ４５に格納されている光強度を今回の光強度と比較する。そして５％以上光強度が変化しているか否かを判定し（Ｓ１４０）、変化していない場合には、正常と考えられるので、Ｓ１５０に進み、現在の光強度をＥＥＰＲＯＭ４５に格納し、本処理を終了する。一方、光強度が５％以上変化している場合には、何等かの不正工作（例えば、ぶら下がり基板が光ケーブル９ａまたは光ケーブル９ｂに介装されたなど）がなされたと考えられるので、Ｓ１６０に進み、異常発生信号を出力し、本処理を終了する。なお、異常発生信号は当該パチンコ機が設置されたパチンコホールを管理するコンピュータ（ホールコンピュータ）等に出力される。これにより、異常の発生をホールコンピュータにて知ることができる。本処理のＳ１１０が本発明の光強度監視手段に相当し、Ｓ１３０およびＳ１４０が本発明の不正行為検出手段に相当する。
【００３６】
このフローチャートに示されていない始動入賞の検出について図２および図５（ｂ）、図５（ｃ）に基づいて説明する。磁気センサ３１が遊技球の通過（つまり始動入賞）を検出すると、スイッチ制御部２９が、１００ｍｓｅｃの間、光スイッチ２７を１０ｋＨｚの振動数でＯＮ／ＯＦＦする。これを示したのが図５（ｂ）である。本図は、縦軸に光強度、横軸に時間を取り、時刻ｔ2 に遊技球の通過があった場合の光ケーブル９ｂを通過する光強度の変化を示している。本図に示すように、時刻ｔ2 に遊技球が通過すると、光強度が５０％程度に減衰され、１００ｍｓｅｃ後の時刻ｔ3 までの間、１０ｋＨｚの振動数で光強度が１００％に戻されたり５０％程度に減衰されたりする。この光強度の変化が光受信器３５にて電気信号に変換され、波形整形されたのが図５（ｃ）の波形である。波形がこのような変化をしたことが検出されると、始動入賞があったと判定する。
【００３７】
前述のぶら下がり基板は、この波形変化を擬似的に発生させるものが、その代表として考えられる。この波形変化を特定のタイミングで発生させることにより、入賞検出回路３８を誤認識させ、大当たりを発生させる。ただし、このようにぶら下がり基板を接続すると、光受信器３５にて受信される光強度が、本来の光強度から変化する。この変化を図４のＳ１３０、Ｓ１４０にて検出することにより、ぶら下がり基板の介装が検出される。
【００３８】
このように構成されていることにより、入賞センサ３、５ａ、５ｂ、７と基板ケース１とが光ケーブル９にて接続されているため、ぶら下がり基板を介装することが極めて困難である。すなわち、従来の電気信号にて検出信号を送受信していた場合には、電線を露出させて端子を接続すればよかったのに比べ、光ケーブル９を切断し、所要の端面処理を行ない、光コネクタを接続する必要がある。従って、ぶら下がり基板を接続するのが困難である。万が一、ぶら下がり基板が光ケーブル９に介装されても、光強度の変化を一定時間ごとに監視しているため、これを確実に検出することができる。
【００３９】
また、光コネクタ１３は、蓋２１を開けない限り光ソケット１９から抜けないようにされているため、光コネクタ１３、光ソケット１９の間にぶら下がり基板を介装するのも困難である。
以上、本発明の実施例について説明して来たが、本発明は、この実施例に何ら限定されるものではなく、本発明の要旨を満たすものであれば、種々の態様で実施できることはいうまでもない。
【００４０】
例えば、スイッチ制御部２９は、リード１１を介して電力の供給を受けていたが、電池駆動としても良い。すなわち、ボタン型電池などの小型の電池によりスイッチ制御部２９が駆動されるように構成し、電池はスイッチ制御部２９や光スイッチ２７などと共にモールドしておく。こうすると、電池は使い捨てとなるが、入賞センサ３の配線が簡素になる。
【００４１】
また、光ケーブル９ａにて供給される光の一部を用いて光発電を行ない、これにて電力をまかなうようにしてもよい。また、光スイッチ２７に代えて、無電源で駆動される光半導体を用いてスイッチングを行なってもよい。
また、入賞口に入った遊技球の通過経路に光ケーブル９ａの光を放射し、この光を光ケーブル９ｂにて受け取れるようにしておく。そして、遊技球がこの光路を遮ることにより、減少した光強度を検出して、入賞を検出しても良い。これを図示すると図６のようになる。こうすると光信号を用いて入賞検出装置を非常に簡素に構成することができる。また、遊技盤の近傍には電気的な構成が一切なくなるため、電磁波を用いた不正遊技に対しても強いものとなる。
【００４２】
また、光送信器３３をパチンコ機用基板ケース１に設けたが、始動入賞センサ３や通常入賞センサ５ａ、５ｂに設けても良い。そして、リード１１から電力の供給を受けて、光スイッチ２７を介して３５へ光を伝送するようにしても、略同様の効果を奏するものとなる。
【図面の簡単な説明】
【図１】  本発明を適用したパチンコ機用基板ケース１および基板ケース１の周辺を示した説明図である。
【図２】  始動入賞センサ３の概要を示す説明図である。
【図３】  入賞検出回路３８の説明図である。
【図４】  ハイブリッドＩＣ４３の備えるＣＰＵによって実行される光強度管理処理のフローチャートである。
【図５】  光送信器３３が安定していない状態、及び始動入賞が発生した場合の光強度の変化を示すグラフである。
【図６】  始動入賞センサ３の別の態様を示す説明図である。
【符号の説明】
１…パチンコ機用基板ケース
３…始動入賞センサ
５ａ、５ｂ…通常入賞センサ
７…大入賞口センサ
９、９ａ、９ｂ…光ケーブル
１３…光コネクタ      １９…光ソケット
２１…蓋              ２３…リリース孔
２７…光スイッチ      ２９…スイッチ制御部
３１…磁気センサ      ３３…光送信器
３５…光受信器        ３８…入賞検出回路
３９…Ａ／Ｄ変換器    ４１…入力ポート
４３…ハイブリッドＩＣ    ４５…ＥＥＰＲＯＭ
４７…出力ポート          ４９…バス
【図１】
0004359957.tif 000002
【図２】
0004359957.tif 000003
【図３】
0004359957.tif 000004
【図４】
0004359957.tif 000005
【図５】
0004359957.tif 000006
【図６】
0004359957.tif 000007